(57)【要約】【課題】非健常者用配置領域に健常者等の移動手段が配置された後、円滑にその移動手段を移動させることができる駐車場管理装置等を提供すること。【解決手段】非健常者の移動手段Ｃを配置するための各非健常者用配置領域Ｐｎに形成される照明部Ｌｎと、照明部の照明状態を変化させる照明状態変更部２０と、非健常者用配置領域に配置されている移動手段に関する識別情報Ｎ１を予め登録した情報である既登録識別情報を記憶する既登録識別情報記憶部７７と、識別情報を取得する撮像部Ｋｎと、撮像部が取得した識別情報と、既登録識別情報とを比較判断する識別情報判断部５３と、を有し、識別情報判断部の判断結果に基づいて照明状態変更部が比較判断した識別情報に対応する前記照明状態に非健常者用配置領域の照明部を変更させる駐車場管理装置１０。【選択図】図１
2011237877.tif 000002
【特許請求の範囲】
【請求項１】
非健常者の移動手段を配置するための各非健常者用配置領域に形成される照明部と、
前記照明部の照明状態を変化させる照明状態変更部と、
前記非健常者用配置領域に配置されている前記移動手段に関する識別情報を予め登録した情報である既登録識別情報を記憶する既登録識別情報記憶部と、
前記識別情報を取得する撮像部と、
前記撮像部が取得した前記識別情報と、前記既登録識別情報とを比較判断する識別情報判断部と、を有し、
前記識別情報判断部の判断結果に基づいて前記照明状態変更部が前記比較判断した前記識別情報に対応する前記照明状態に前記非健常者用配置領域の前記照明部を変更させることを特徴とする駐車場管理装置。
【請求項２】
前記識別情報判断部は、前記識別情報を前記既登録識別情報と比較して、前記識別情報が前記既登録識別情報に含まれる包含識別情報、前記既登録識別情報に含まれない非包含識別情報又は前記既登録識別情報に含まれるか否かが不明な不明識別情報に区分し、
前記照明状態変更部が、この前記識別情報判断部の判断に従い、前記照明部の前記照明状態を異なった色彩に変更させることを特徴とする請求項１に記載の駐車場管理装置。
【請求項３】
前記識別情報が、前記移動手段の固有の識別情報及び／又は非健常者の固有の識別情報であることを特徴とする請求項１又は請求項２に記載の駐車場管理装置。
【請求項４】
前記移動手段の使用料金を精算する精算装置を備え、
前記既登録識別情報と前記移動手段の非健常者の個人カード識別情報とを関連付け、前記個人カードの使用情報に基づき前記使用料金を定める構成となっていることを特徴とする請求項１乃至請求項３のいずれかに記載の駐車場管理装置を有する駐車場管理システム。
【請求項５】
非健常者が店舗で使用可能なクーポン券を発行するクーポン券発行装置を備えていることを特徴とする請求項４に記載の駐車場管理システム。
【請求項６】
店舗に配置される物品販売の売り影実績を集計する販売時点情報管理装置を備え、
前記販売時点情報管理装置は、非健常者の利用情報を管理する構成となっており、
この非健常者の利用情報と前記識別情報判断部の前記包含識別情報に基づき、非健常者利用状況情報を生成する構成となっていることを特徴とする請求項４又は請求項５に記載の駐車場管理システム。
【発明の詳細な説明】
【技術分野】
【０００１】
本発明は、例えば障害者用駐車スペース等を適切に管理するための駐車場管理装置及び駐車場管理システムに関するものである。
【背景技術】
【０００２】
従来より、例えば、店舗等には駐車場が併設され、その駐車場に駐車している自動車等を管理するシステムが提案されている（例えば、特許文献１）。
このような駐車場には、身体に障害等を持つ障害者の自動車を駐車するための障害者用駐車領域等の非健常者用配置領域が設けられている。
【先行技術文献】
【特許文献】
【０００３】
【特許文献１】特開２００８−２７６５１６号公報
【発明の概要】
【発明が解決しようとする課題】
【０００４】
しかし、このような非健常者用配置領域等は、駐車場の出入口等に近い場所に設置されている場合が多く便利なため、障害者でない健常者が、自己の自動車等を駐車等する場合が多く問題となっていた。
一方、このような非健常者用配置領域に駐車等している健常者の自動車等を通常の配置領域に移動させる際には、トラブル等が発生し易く、その対処が問題となっていた。
【０００５】
そこで、本発明は、非健常者用配置領域に健常者等の移動手段が配置された後、円滑にその移動手段を移動させることができる駐車場管理装置及び駐車場管理システムを提供することを目的とする。
【課題を解決するための手段】
【０００６】
前記課題は、本発明によれば、非健常者の移動手段を配置するための各非健常者用配置領域に形成される照明部と、前記照明部の照明状態を変化させる照明状態変更部と、前記非健常者用配置領域に配置されている前記移動手段に関する識別情報を予め登録した情報である既登録識別情報を記憶する既登録識別情報記憶部と、前記識別情報を取得する撮像部と、前記撮像部が取得した前記識別情報と、前記既登録識別情報とを比較判断する識別情報判断部と、を有し、前記識別情報判断部の判断結果に基づいて前記照明状態変更部が前記比較判断した前記識別情報に対応する前記照明状態に前記非健常者用配置領域の前記照明部を変更させることを特徴とする駐車場管理装置により達成される。
【０００７】
前記構成によれば、非健常者の移動手段を配置するための各非健常者用配置領域に形成される照明部と、照明部の照明状態を変化させる照明状態変更部と、非健常者用配置領域に配置されている移動手段に関する識別情報を予め登録した情報である既登録識別情報を記憶する既登録識別情報記憶部と、識別情報を取得する撮像部と、撮像部が取得した識別情報と既登録識別情報とを比較判断する識別情報判断部と、を有している。
そして、識別情報判断部の判断結果に基づいて照明状態変更部が比較判断した識別情報に対応する照明状態に配置領域の照明部を変更させる構成となっている。
したがって、例えば、障害者等の非健常者の自動車等である移動手段の車両ナンバー等である識別情報を予め既登録識別情報として記録しておけば、非健常者用配置領域に配置されている自動車等の車両ナンバー等を既登録識別情報と比較することで、当該自動車等が障害者等の自動車等であるか否かを迅速に判断することができる。
また、当該自動車等が障害者等の自動車等でないと判断された場合は、その照明部を例えば、赤色等にすることで、当該自動車等の使用者に注意を喚起することができる。また、駐車場の管理者等に対しても、当該自動車等の使用者が障害者等でないことを知らせることができる。
一方、当該自動車等が障害者等の自動車等であると判断された場合は、その照明部を例えば、青色等にすることで、当該自動車等の使用者が障害者等であり、正当な使用者であることを駐車場の管理者等に示すことができる。
【０００８】
好ましくは、前記識別情報判断部は、前記識別情報を前記既登録識別情報と比較して、前記識別情報が前記既登録識別情報に含まれる包含識別情報、前記既登録識別情報に含まれない非包含識別情報又は前記既登録識別情報に含まれるか否かが不明な不明識別情報に区分し、前記照明状態変更部が、この前記識別情報判断部の判断に従い、前記照明部の前記照明状態を異なった色彩に変更させることを特徴とする駐車場管理装置である。
【０００９】
前記構成によれば、識別情報判断部は、識別情報を既登録識別情報と比較して、識別情報が既登録識別情報に含まれる包含識別情報、既登録識別情報に含まれない非包含識別情報又は既登録識別情報に含まれるか否かが不明な不明識別情報に区分し、照明状態変更部が、この前記識別情報判断部の判断に従い、照明部の前記照明状態を異なった色彩に変更させる構成となっている。
したがって、識別情報が、包含識別情報（例えば、非健常者等の識別情報）、非包含識別情報（例えば、非健常者等の識別情報以外）又は不明識別情報（例えば、非健常者の識別情報であるか否かが不明である識別情報）のいずれかであるかによって、色彩を例えば、青色、赤色又は黄色のいずれかに変更して示すことができる。
このため、駐車場の管理者等は、当該非健常者用配置領域に駐車等されている自動車等の使用者が適切か否かを容易に判断することができる。
【００１０】
好ましくは、前記識別情報が、前記移動手段の固有の識別情報及び／又は非健常者の固有の識別情報であることを特徴とする駐車場管理装置である。
【００１１】
前記構成によれば、識別情報が、移動手段の固有の識別情報及び／又は非健常者の固有の識別情報であるので、これら識別情報を撮像部で撮像することで、識別情報を容易に取得することができる。
【００１２】
好ましくは、前記移動手段の使用料金を精算する精算装置を備え、前記既登録識別情報と前記移動手段の非健常者の個人カード識別情報とを関連付け、前記個人カードの使用情報に基づき前記使用料金を定める構成となっていることを特徴とする駐車場管理装置を有する駐車場管理システムである。
【００１３】
前記構成によれば、移動手段の使用料金を精算する精算装置を備え、既登録識別情報と移動手段の非健常者の個人カード識別情報とを関連付け、個人カードの使用情報に基づき使用料金を定める構成となっているので、例えば、非健常者の個人カードの使用情報に基づき自動的に使用料金を精算することができる。
【００１４】
好ましくは、非健常者が店舗で使用可能なクーポン券を発行するクーポン券発行装置を備えていることを特徴とする駐車場管理システムである。
【００１５】
前記構成によれば、非健常者が店舗で使用可能なクーポン券を発行するクーポン券発行装置を備えているので、非健常者は、駐車場でクーポン券を受け取ることができ、このクーポン券を使って店舗で買い物等をすることができる。
【００１６】
好ましくは、店舗に配置される物品販売の売り影実績を集計する販売時点情報管理装置を備え、前記販売時点情報管理装置は、非健常者の利用情報を管理する構成となっており、この非健常者の利用情報と前記識別情報判断部の前記包含識別情報に基づき、非健常者利用状況情報を生成する構成となっていることを特徴とする駐車場管理システムである。
【００１７】
前記構成によれば、店舗に配置される物品販売の売り上げ実績を集計する販売時点情報管理装置を備え、販売時点情報管理装置は、非健常者の利用情報を管理する構成となっており、この非健常者の利用情報と識別情報判断部の包含識別情報に基づき、非健常者利用状況情報を生成する構成となっている。
このため、非健常者の店舗利用状況を明確に把握することができ、非健常者に最適化した店舗運営等の情報を取得することができる。
【発明の効果】
【００１８】
本発明は、非健常者用配置領域に健常者等の移動手段が配置された後、円滑にその移動手段を移動させることができる駐車場管理装置及び駐車場管理システムを提供することができるという利点がある。
【図面の簡単な説明】
【００１９】
【図１】本発明に係る駐車場管理システムである例えば、障害者用駐車場管理システムを示す概略システムである。
【図２】図１の駐車場管理装置本体等の概略ブロック図である。
【図３】図２の第１の記憶部を示す概略ブロック図である。
【図４】図２の第２の記憶部を示す概略ブロック図である。
【図５】本実施の形態に係る障害者用駐車場管理システムの主な動作例等を示す概略フローチャートである。
【図６】本実施の形態に係る障害者用駐車場管理システムの主な動作例等を示す他の概略フローチャートである。
【図７】本実施の形態に係る障害者用駐車場管理システムの主な動作例等を示す他の概略フローチャートである。
【図８】本実施の形態に係る障害者用駐車場管理システムの主な動作例等を示す他の概略フローチャートである。
【発明を実施するための形態】
【００２０】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２１】
図１は、本発明に係る駐車場管理システムである例えば、障害者用駐車場管理システム１を示す概略システムである。
図１に示すように、障害者用駐車場管理システム１が管理する駐車場には、非健常者である例えば、障害者の移動手段である例えば、自動車Ｃを配置し、駐車する障害者用駐車スペース（非障害者用配置領域の一例）Ｐ１乃至Ｐｎが設けられている。
なお、ここで非健常者とは、歩行に困難を伴う人などをいい、所謂、障害者のみならず、妊婦等を含む広い概念である。
【００２２】
これら各障害者用駐車スペースＰ１乃至Ｐｎには、それぞれ、撮像部である例えば、カメラＫ１乃至Ｋｎが配置され、これらのカメラＫ１乃至Ｋ３は、図１に示すように、非障害者用駐車スペースＰ１等に駐車している自動車ＣのナンバープレートＮに表示されている識別情報である例えば、車両ナンバーＮ１を撮影する構成となっている。
また、各障害者用駐車スペースＰ１等には、図１に示すように、それぞれ近接センサＳ１乃至Ｓｎが配置され、自動車Ｃが障害者用駐車スペースＰ１等に配置されたか否か監視することができるようになっている。
【００２３】
さらに、これらカメラＫ１等は、例えば、ＣＭＯＳイメージセンサで画像を取得する構成となっている。
そして、各障害者用駐車スペースＰ１等には、それらの表面に照明部である例えば、照明機Ｌ１乃至Ｌｎがそれぞれ配置され、これら照明機Ｌ１等は、異なった色彩、例えば、赤色、黄色、青色に変化して光る構成となっている。
また、図１に示すように、駐車場には、スピーカー１１も設置されている。
【００２４】
また、障害者用駐車場管理システム１は、図１に示すように、駐車場管理装置である例えば、障害者用駐車場管理装置１０を有している。この障害者用駐車場管理装置１０は、照明機Ｌ１等を制御する照明機制御装置２０、カメラＫ１等や近接センサＳ１、スピーカー１１等及びその他全般を制御等する駐車場管理装置本体４０、そして、各種データ等を表示する管理モニター９０等を有している。
また、駐車場管理装置本体４０は、駐車場に併設されている店舗の店舗側ＰＯＳ（Ｐｏｉｎｔ  ｏｆ  Ｓａｌｅｓ  Ｓｙｓｔｅｍ）装置１００と接続されている。
この店舗側ＰＯＳ装置１００は、店舗における物品販売の売上実績を単品単位で集計可能な装置となっている。この店舗側ＰＯＳ装置１００が、販売時点情報管理装置の一例となっている。
【００２５】
また、駐車場管理装置本体４０は、図１に示すように、自動車Ｃ等が駐車場から出庫する際の使用料金を精算する精算装置である例えば、自動精算装置１２０と接続されている。
また、駐車場管理装置本体４０は、図１に示すように、障害者が店舗で使用可能なクーポン券を発行するクーポン券発行装置１４０とも接続されている。
【００２６】
ところで、情報処理等を行う、図１の駐車場管理装置本体４０その他の装置は、コンピュータを有しており、このコンピュータは、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して配置されている。
ところで、上述のバスは、すべてのデバイスを接続する機能を有し、アドレスやデータパスを有する内部パスである。ＣＰＵは所定のプログラムの処理を行う他、バスに接続されたＲＯＭ等を制御している。ＲＯＭは、各種プログラムや各種情報等を格納している。ＲＡＭは、プログラム処理中のメモリの内容の対比やプログラムを実行するためのエリアとしての機能を有する。
【００２７】
図２は、図１の駐車場管理装置本体４０等の概略ブロック図である。図２に示すように、駐車場管理装置本体４０は、駐車場管理装置本体制御部４１を有すると共に、計時装置４２や、照明機Ｌｎを消灯するための消灯スイッチ４３も有し、これらが駐車場管理装置本体制御部４１に接続されている。
また、駐車場管理装置本体４０は、第１の記憶部５０及び第２の記憶部７０を有し、これらも駐車場管理装置本体制御部４１に接続されている。
【００２８】
図３は、図２の第１の記憶部５０を示す概略ブロック図であり、図４は、図２の第２の記憶部７０を示す概略ブロック図である。
図２乃至図４には、第１の記憶部５０と第２の記憶部７０を示しているが、実際にかかる区分に従って、各ブロックが配置されていることを示すものではなく、説明の便宜上、区分して配置させたものである。したがって、これらが同一の記憶部等に区分せずに配置されていても構わない。
【００２９】
図５乃至図８は、本実施の形態に係る障害者用駐車場管理システム１の主な動作例等を示す概略フローチャートである。
以下、図５乃至図８のフローチャートに沿って、障害者用駐車場管理システム１の主な動作例等を説明しながら、図２乃至図４のブロック図の各構成等についても説明する。
【００３０】
先ず、本実施の形態に係る障害者用駐車場管理システム１は、例えば、店舗の駐車場に設置される。店舗の駐車場には、上述のように、各障害者用駐車スペースＰｎの表面に照明機Ｌｎが埋め込まれている（図１参照）。これら照明機Ｌｎは、それぞれ赤色、黄色又は青色に発光するライトとなっている。
また、各障害者用駐車スペースＰｎには、それぞれ、上述のように、近接センサＳｎやカメラＫｎが配置されている。
【００３１】
具体的には、自動車Ｃが、障害者用駐車スペースＰｎに配置されると、近接センサＳｎが動作して、自動車Ｃが障害者用駐車スペースＰｎに駐車したことを検知し、図５のＳＴ１へ進む。
ＳＴ１では、カメラＫｎが当該自動車Ｃを撮影し、その画像を取得し、車両検知のための画像解析を実行する。
具体的には、図２のカメラＫｎが撮影した画像は、図４の第２の記憶部７０のカメラ画像記憶部７１に記憶される。そして、図１の車両存在検知部（プログラム）５１が動作し、図４の車両存在検知用データ記憶部７２を参照する。この車両存在検知用データ記憶部７２には、車両画像と判断するための比較用データが記憶されている。このため、車両存在検知部（プログラム）５１は、カメラ画像記憶部７１に記憶された画像が車両か否かを判断することができる。
【００３２】
次いで、ＳＴ２で、車両存在検知部（プログラム）５１が、車両の存在を検知した場合は、ＳＴ３へ進む。
ＳＴ３では、車両画像から車両ナンバー部位画像を抽出する。具体的には、図３の車両ナンバー部位画像抽出部（プログラム）５２が動作し、図４の車両ナンバー部位抽出用データ記憶部７３内のデータを参照する。この車両ナンバー部位抽出用データ記憶部７３内には、車両のナンバープレートの配置位置のデータ等が記憶されている。このため、車両ナンバー部位画像抽出部（プログラム）５２は、車両ナンバー部位画像、すなわち、図１のナンバープレートＮの画像を抽出することができる。なお、車両ナンバー部位画像抽出部（プログラム）５２は、その後、その画像を図４の車両ナンバー部位画像記憶部７４に記憶させる。
このように、車両ナンバー部位画像抽出部（プログラム）５２は、車両ナンバー部位抽出用データ記憶部７３内の車両のナンバープレートの配置位置のデータ等に基づき、ナンバープレートの位置を特定し、この特定した位置に対応する車両ナンバー位置画像（ナンバープレートＮの画像）を抽出して、車両ナンバー部位画像記憶部７４に記憶させることになる。
【００３３】
次いで、ＳＴ４へ進む。ＳＴ４では、車両ナンバー部位画像を解析する。具体的には、図３の車両ナンバー部位画像解析部（プログラム）５３が動作し、図４の車両ナンバー部位画像記憶部７４内の画像を、図４の車両ナンバー部位画像解析用データ記憶部７５内のデータと比較する解析が開始される。
この車両ナンバー部位画像解析用データ記憶部７５内には、数字や文字等の比較データが記憶されている。
すなわち、車両ナンバー部位画像解析部（プログラム）５３は、車両ナンバー部位画像解析用データ記憶部７５内の数字や文字等の比較データに基づいて、車両ナンバー部位画像記憶部７４内の画像の解析を開始する。そして、その車両ナンバーを、例えば、図１の「新潟  ３３０  ね  ７７−７７」等と特定するための解析を開始する。
なお、車両ナンバー部位画像解析部（プログラム）５３は、車両ナンバーの解析が終了すると、その結果、例えば「新潟  ３３０  ね  ７７−７７」等を、図４の解析済み車両ナンバー記憶部７６に記憶させる。
【００３４】
次いで、ＳＴ５へ進む。ＳＴ５では、図２の計時装置４２による時間カウントが開始される。具体的には、ＳＴ４の解析が開始されるとほぼ同時に時間カウントが開始される。
【００３５】
次いで、ＳＴ６へ進み、ＳＴ４で開始した車両ナンバー部位画像解析が終了したか否かが判断される。
具体的には、図３の車両ナンバー部位画像解析終了判断部（プログラム）５４が動作し、図４の解析済み車両ナンバー記憶部７６に解析済みのデータとして、例えば、「新潟  ３３０  ね  ７７−７７」等が記憶されているか否かを判断する。
【００３６】
ＳＴ６で、車両ナンバー部位画像解析が終了したと判断された場合は、図６のＳＴ７へ進む。ＳＴ７では、解析済みナンバーが、登録済みナンバーか否かが判断される。
具体的には、図３の車両ナンバー照会部（プログラム）５５が動作し、図４の解析済み車両ナンバー記憶部７６内のデータ、例えば「新潟  ３３０  ね  ７７−７７」等が、図４の登録車両ナンバーデータベース７７に既に登録されている車両ナンバーに含まれているか否かを判断する。
この登録車両ナンバーデータベース７７には、予め障害者の自動車の車両ナンバーが登録されている。
このため、解析済み車両ナンバー記憶部７６内の車両ナンバーが、この登録車両ナンバーデータベース７７内の車両ナンバーに含まれている場合は、当該自動車が障害者の自動車であると判断することができる。
この解析済み車両ナンバー記憶部７６内の車両ナンバーが、この登録車両ナンバーデータベース７７内の車両ナンバーに含まれている情報が、包含識別情報の一例となっている。
【００３７】
このように、登録車両ナンバーデータベース７７が、既登録識別情報記憶部の一例であり、車両ナンバー照会部（プログラム）５５が、識別情報判断部の一例となっている。
【００３８】
ＳＴ７で、解析済み車両ナンバー記憶部７６内の車両ナンバーが、登録車両ナンバーデータベース７７内の車両ナンバーに含まれていると判断された場合は、ＳＴ８へ進む。
ＳＴ８では、照明機Ｌｎを青色に点灯させる。
具体的には、車両ナンバー照会部（プログラム）５５の判断に基づいて、図２の照明機制御装置２０が動作して、当該車両ナンバーの自動車Ｃが駐車している障害者用駐車スペースＰｎの照明機Ｌｎ（図１の例では障害者用駐車スペースＰ１）を青色に点灯させる。
【００３９】
すなわち、ＳＴ７で、解析済み車両ナンバー記憶部７６内の車両ナンバーが、登録車両ナンバーデータベース７７内の車両ナンバーに含まれていると判断された場合は、駐車している自動車Ｃは、障害者用自動車Ｃであるため、駐車中の自動車Ｃが適切な利用であることを示すため、青色で周囲に知らせる構成となっている。
【００４０】
このように、照明機制御装置２０が、照明状態変更部の一例である。
【００４１】
次いで、ＳＴ９へ進む。ＳＴ９では、計時装置４２が時刻カウントを開始する。具体的には、ＳＴ８の照明機Ｌｎの青色点灯とほぼ同時に、図２の計時装置４２が時間カウントを開始する。
【００４２】
次いで、ＳＴ１０へ進む。ＳＴ１０では、時間カウントが所定時間以内か否かを判断する。具体的には、図３の点灯時間部（プログラム）５８が動作し、図４の点灯時間データ記憶部７９内のデータと、計時装置４２を参照して判断する。
すなわち、点灯時間部（プログラム）５８は、計時装置４２の時間カウントが点灯時間データ記憶部７９内のデータを参照して、定められた時間内か否かを判断する。
【００４３】
そして、ＳＴ１０で、所定時間以内でないと判断された場合は、ＳＴ１１へ進む。ＳＴ１１では、照明機Ｌｎが消灯する。具体的には、計時装置４２の判断に基づいて、図２の照明機制御装置２０が照明機Ｌｎ（図１の場合は、照明機Ｌ１）の青色点灯を消灯させる。
【００４４】
一方、ＳＴ７で、解析済みナンバーが、登録済みナンバーでないと判断された場合は、図６のＳＴ１２へ進む。ＳＴ１２では、照明機Ｌｎを赤色に点灯させる。
具体的には、車両ナンバー照会部（プログラム）５５の判断に基づいて、図２の照明機制御装置２０が動作して、当該車両ナンバーの自動車Ｃが駐車している障害者用駐車スペースＰｎの照明機Ｌｎ（図１の例では障害者用駐車スペースＰ１）を赤色に点灯させる。
この解析済みナンバーが、登録済みナンバーでないとの情報が、非包含識別情報の一例である。
さらに、図１にスピーカー１１から同時に警告音等が流される。
【００４５】
すなわち、ＳＴ７で、解析済み車両ナンバー記憶部７６内の車両ナンバーが、登録車両ナンバーデータベース７７内の車両ナンバーに含まれていないと判断された場合は、駐車している自動車Ｃは、障害者用自動車Ｃではないため、駐車中の自動車Ｃが適切な利用でないことを示すため、赤色及び警告音等で周囲に知らせる構成となっている。
これにより、自動車Ｃの利用者に羞恥心等を感じさせることができ、その結果、自動車Ｃを障害者用駐車スペースＰｎから、健常者用の他の駐車スペースへ移動するように間接的に促すことができる。
このように、本実施の形態では、照明機Ｌｎを赤色に点灯させることで、直接管理者等が使用者に注意をすることがないので、従来生じていた感情的なトラブル等を未然に防ぐことができる。
【００４６】
また、本実施の形態では、誰が見ても一目で正規利用が不正利用かを明らかにすることができる。そして、不正利用の利用者に注意をするプロセスが、「人から人」ではなく、「機械から人」にすることで、人から直接注意を受ける場合に比べ、柔らかな注意とすることができる。
また、利用者のモラルではなく、利用者の羞恥心（視覚）に訴えることで、自動車Ｃの移動を効果的に促すことができる。
さらに、本実施の形態では、遮断機のような閉鎖的な手段ではなく、照明機Ｌｎの色彩で注意を喚起するので、利用者に圧迫感がなく、開かれた状態で、適正な利用を促すことができる構成となっている。
【００４７】
次いで、ＳＴ１３へ進む。ＳＴ１３では、ＳＴ２と同様に、車両の存在を検知したか否かが判断される。
そして、ＳＴ１３で、車両の存在が検知されなくなった場合は、ＳＴ１４へ進む。ＳＴ１３で、車両の存在を検知しなくなった場合は、既に自動車Ｃが当該障害者用駐車スペースＰｎから他へ移動したと判断し、照明機Ｌｎを消灯させる。
具体的には、図３の車両存在検知部（プログラム）５１の判断に基づき、図２の照明機制御装置２０が当該照明機Ｌｎ（図１では照明機Ｌ１）の赤色発光を消灯させる。
【００４８】
一方、図５のＳＴ６で、車両ナンバー部位画像の解析が終了していない場合は、ＳＴ１５へ進み、所定時間が経過したか否かを判断する。
具体的には、図３の解析時間判断部（プログラム）５６が動作して、図２の計時装置４２のカウントされた時間と、図４の解析時間データ記憶部８６を参照して、このカウントされた時間が解析時間データ記憶部８６のデータに定められた時間内か否かが判断される。
【００４９】
ＳＴ１５で、所定時間以内でないと判断された場合は、ＳＴ１６へ進む。ＳＴ１６では、照明機Ｌｎを黄色に点灯させる。
具体的には、解析時間判断部（プログラム）５６の判断に基づいて、図２の照明機制御装置２０が動作し、自動車Ｃが駐車している障害者用駐車スペースＰｎの照明機Ｌｎを黄色に点灯させる。
この車両ナンバー部位画像の解析が終了していないとの情報が、不明識別情報の一例である。
【００５０】
次いで、ＳＴ１７へ進む。ＳＴ１７では、図２の管理モニター９０に「駐車スペースを点検してください」との警告が表示される。
具体的には、図３の表示実行部（プログラム）５７が動作し、図４の表示データ記憶部７８内の例えば、「駐車スペースを点検してください」との文言を参照して、このデータを図２の管理モニター９０に表示させる。
【００５１】
これにより、管理者等は、本システム１が、障害者用駐車スペースＰｎに駐車した自動車ＣのナンバープレートＮを読み取ることができなかったことを知ることができる。
【００５２】
次いで、ＳＴ１８へ進む。ＳＴ１８では、管理モニター９０を見た管理者等が、図２の消灯スイッチ４３を操作したか否かを判断する。
ＳＴ１８で、管理者等が消灯スイッチ４３を操作し、照明機Ｌｎの黄色点灯を消すと、終了する。
このように、本システム１では、ナンバープレートＮを読み取ることができない場合でも、かかる事実が管理者等に伝わるまで、黄色点灯し続けるので、読み取ることができない場合でも、その状態を確実に管理者等に伝えることができる。
【００５３】
また、本実施の形態では、当該自動車Ｃが障害者の自動車Ｃか否かは、移動手段の固有の識別情報である例えば、車両ナンバーＮ１で判断したが、これに限らず、非健常者の固有の識別情報である例えば、身障者用駐車場利用証でも構わない。
この身障者用駐車場利用証は、例えば長方形の板状を成し、その表面に特定のデザインの記号等が表示されている。
したがって、障害者が、この身障者用駐車場利用証を自動車Ｃのフロントガラスの内側に配置等し、この身障者用駐車場利用証をカメラＫｎが撮像し解析する構成としても構わない。
また、これら車両ナンバーＮ１及び身障者用駐車場利用証の双方を撮像し、これら双方を解析し、双方が合致した場合のみ、適切な利用であると判断する構成としても構わない。
【００５４】
ところで、ＳＴ７で、解析済みナンバーが、登録済みナンバーであると判断された場合は、図６に示すように、ＳＴ８と共に、ＳＴ１９へも進む。
ＳＴ１９では、登録済み車両ナンバーを入店登録車両ナンバーとして登録する。
具体的には、登録ナンバー照会部（プログラム）５５で登録ありと判断された登録ナンバーを入店登録車両ナンバー記憶部８０に記憶する。
【００５５】
次いで、ＳＴ２０へ進む。ＳＴ２０では、障害者の自動車Ｃが出庫するか否かを判断する。具体的には、図１及び図２の自動精算装置１２０が、図４の登録車両ナンバーデータベース７７に記憶されている車両ナンバーＮ１を有する自動車Ｃが出庫したか否かを判断する。
【００５６】
ＳＴ２０で、かかる自動車Ｃが出庫したと判断されると、ＳＴ２１へ進む。ＳＴ２１では、出庫する車両ナンバーに対応する個人カード番号を特定する。
具体的には、図３の個人カード番号照会部（プログラム）５９が動作して、個人カード番号照会用データベース８１を参照する。この個人カード番号照会用データベース８１には、登録車両ナンバーデータベース７７の登録車両ナンバーと、これに対応する障害者の個人カード番号が対応付けられて記憶されている。したがって、個人カード番号照会部（プログラム）５９は、出庫する登録車両ナンバーに対応する個人カード番号を特定することができる。
ここで、個人カード番号は、店舗における買い物等で使用可能なカードとなっており、例えば、図２等の店舗側ＰＯＳ装置１００等を介して管理されている。
また、この個人カード番号は、個人カード識別情報の一例となっている。
【００５７】
次に、ＳＴ２２へ進む。ＳＴ２２では、個人カード番号に対応する店舗における購入データを取得する。
具体的には、図３の個人カード番号対応購入データ取得部（プログラム）６０が動作し、図４の個人カード番号対応購入データ記憶部８２内の、当該個人カード番号に対応する店舗の購入データを取得する。
これにより、当該個人カード番号、すなわち、登録車両ナンバーの障害者の店舗における購入金額等のデータを取得することができる。
【００５８】
次いで、ＳＴ２３へ進む。ＳＴ２３では、購入データに対応する駐車料金データを取得して、自動精算装置１２０が精算を行う。
具体的には、図３の購入データ対応駐車料金データ取得部（プログラム）６１が動作して、図４の購入データ対応駐車料金データ記憶部８３を参照する。この購入データ対応駐車料金データ記憶部８３には、購入データに対する駐車料金のデータが記憶されている。
このため、購入データ対応駐車料金データ取得部（プログラム）６１は、購入データ対応駐車料金データ記憶部８３を参照することで、購入金額等に対応して割引等された駐車料金データを取得することができる。
そして、図２の自動精算装置１２０は、この駐車料金データに基づいて、駐車料金の精算を実行することになる。
【００５９】
このように、本実施の形態によれば、障害者がその自動車Ｃで店舗に来て、その障害者用駐車スペースＰｎに駐車し、その後、店舗で個人カードを使用して買い物等をすると、その買い物金額に応じて、駐車料金の割引等を自動的に受けることができ、店舗にとっても、障害者等にとっても極めて使い易いシステムとなる。
【００６０】
また、次にＳＴ２４へ進む。ＳＴ２４では、駐車場の自動精算装置１２０に例えば、隣接して配置されているクーポン券発行装置１４０が、店舗で使用可能なクーポン券を自動発行する構成となっている。
これにより、障害者等の自動車Ｃの自動精算をすると共に、併せてクーポン券も自動発行することができ、極めて効率的なシステムとなる。
【００６１】
図８は、要介護者利用状況データ生成のためのフローチャートを示す。
図８のＳＴ１０１では、図４の入店登録車両ナンバー記憶部８０内のデータと、図２の店舗側ＰＯＳ装置１００で取得する要介護者来店回数（精算回数）データを用いて要介護者利用状況データを生成して、その結果を要介護者利用状況記憶部に記憶する。
具体的には、図３の要介護者利用状況データ生成部（プログラム）６２が動作して、図４の入店登録車両ナンバー記憶部８０のデータと、店舗側ＰＯＳ装置１００で取得する図４の要介護者来店回数データ記憶部８４内のデータを参照して、要介護者利用状況データを生成し、そのデータを図４の要介護者利用状況記憶部８５に記憶する。
これにより、障害者等の要介護者の店舗の利用状況を明確に把握することができ、要介護者に最適化した店舗運営をするための資料を取得することができる。
なお、要介護者利用状況データが、非健常者利用状況情報の一例となっている。
【００６２】
本発明は、上述の各実施の形態に限定されない。上述の実施の形態では、近接センサＳｎを用いて、自動車Ｃが障害者用スペースＰ１等に配置されたか否かを監視しているが、これに限らず、近接センサＳｎを用いない形態としても良い。この場合は、カメラＫ１等が常時又は定期的に撮像動作を行っており、この画像から自動車Ｃの配置を判断することになる。
【符号の説明】
【００６３】
１・・・障害者用駐車場管理システム、１０・・・障害者用駐車場管理装置、１１・・・スピーカー、２０・・・照明機制御装置、４０・・・駐車場管理装置本体、４１・・・駐車場管理装置本体制御部、４２・・・計時装置、４３・・・消灯スイッチ、５０・・・第１の記憶部、５１・・・車両存在検知部（プログラム）、５２・・・車両ナンバー部位画像抽出部（プログラム）、５３・・・車両ナンバー部位画像解析部（プログラム）、５４・・・車両ナンバー部位画像解析終了判断部（プログラム）、５５・・・車両ナンバー照会部（プログラム）、５６・・・解析時間判断部（プログラム）、５７・・・表示実行部（プログラム）、５８・・・点灯時間部（プログラム）、５９・・・個人カード番号照会部（プログラム）、６０・・・個人カード番号対応購入データ取得部（プログラム）、６１・・・購入データ対応駐車料金データ取得部（プログラム）、６２・・・要介護者利用状況データ生成部（プログラム）、７０・・・第２の記憶部、７１・・・カメラ画像記憶部、７２・・・車両存在検知用データ記憶部、７３・・・車両ナンバー部位抽出用データ記憶部、７４・・・車両ナンバー部位画像記憶部、７５・・・車両ナンバー部位画像解析用データ記憶部、７６・・・解析済み車両ナンバー記憶部、７７・・・登録車両ナンバーデータベース、７８・・・表示データ記憶部、７９・・・点灯時間データ記憶部、８０・・・入店登録車両ナンバー記憶部、８１・・・個人カード番号照会用データベース、８２・・・個人カード番号対応購入データ記憶部、８３・・・購入データ対応駐車料金データ記憶部、８４・・・要介護者来店回数データ記憶部、８５・・・要介護者利用状況記憶部、８６・・解析時間データ記憶部、９０・・・管理モニター、１００・・・店舗側ＰＯＳ装置、１２０・・・自動精算装置、１４０・・・クーポン券発行装置、Ｐｎ・・・障害者用駐車スペース、Ｋｎ・・・カメラ、Ｓｎ・・・近接センサ、Ｌｎ・・・照明機、Ｃ・・・自動車、Ｎ・・・ナンバープレート、Ｎ１・・・車両ナンバー
【図１】
2011237877.tif 000003
【図２】
2011237877.tif 000004
【図３】
2011237877.tif 000005
【図４】
2011237877.tif 000006
【図５】
2011237877.tif 000007
【図６】
2011237877.tif 000008
【図７】
2011237877.tif 000009
【図８】
2011237877.tif 000010